(57)【要約】　　　（修正有）【課題】立体的な塵埃シートを提供する。【解決手段】一種立体型の拭き掃除用シートの改良構造に係わり、主な構造は中心層の両側に各設置層を設け、該設置層内に数個の設置空間９を設け、汚れ、塵、埃などを該設置空間９内へため、且該設置空間９は異なる方向へ延びる数個のリブ片７を設け、該リブ片７は高周波粘着１０により設置層へ設け、該リブ片７と設置空間９は互いに対応する効果となり、且該設置層の両側に各粘着部３，４を設け、該拭き掃除用シート１は桿本体２へ粘着固定し、また該設置層の両側に外へ向かって延びる数個の凸部５，６を設け、該凸部は隙間へ入り込み掃除をし、徹底的な掃除効果を達成する。【選択図】　　　　図１
0003096928.tif 000002
【実用新案登録請求の範囲】
【請求項１】
一種立体型の拭き掃除用シートの構造に係わり、主に設置層、中心層、数個のリブ片により構成し、
該中心層の両側に各設置層を設け、該設置層内に数個の設置空間を設け、主に汚れ、塵、埃を該設置空間内へ推進し、且該設置空間に異なる方向へ延びるリブ片を設け、該リブ片は高周波粘着により設置層へ設け、該リブ片と設置空間は互いに対応する効果となり、且該設置層の両側に各粘着部を設け、該拭き掃除用シートは桿本体へ粘着固定し、また該設置層の両側に外へ向かって延びる数個の凸部を設け、該凸部は隙間へ入り込み、徹底的に清掃することを特徴とする拭き掃除用シートの改良構造。
【請求項２】
前記リブ片の片端に斜め方向へ延びる引っ掛けリブを設け、該引っ掛けリブとリブ片の間に設置溝を設け、該設置溝は塵、埃をためておくことを特徴とする請求項１記載の拭き掃除用シートの改良構造。
【請求項３】
前記設置空間の別の片端へリブ片を設け、該リブ片は２つずつ相対応し、該リブ片は塵、埃を設置空間内へ推進することを特徴とする請求項１記載の拭き掃除用シートの改良構造。
【考案の詳細な説明】
【０００１】
【考案の属する技術分野】
本考案は、一種立体型の拭き掃除用シートの改良構造に係わる。主な構造は、該中心層の両側に各設置層を設け、該設置層内に数個の設置空間を設け、汚れ、塵、埃などを該設置空間内へ推進する。且つ、該設置空間に異なる方向へ延びるリブ片を設ける。該リブ片は高周波粘着により設置層へ設け、該リブ片と設置空間は互いに対応する効果となる。且つ該設置層の両側に各粘着部を設け、該拭き掃除用シートは桿本体へ粘着固定する。また、該設置層の両側に外へ向かって延びる数個の凸部を設け、該凸部は隙間に入り込み、徹底的に清掃する効果となり、実用性、進歩性、便利性を具える。
【０００２】
【従来の技術】
公知の拭き掃除用シートは単層で比較的厚さのある構造で、且組成方式に係わり、比較的厚い層は上下二層を利用して孔に挟み込む。該綿と該孔を機具により固定し、該紙周囲へ縫った後があり、この縫い目がサイズを限定してしまうのに最大の要因となる。また、使用時に該拭き掃除用シートは設置空間へ塵、埃等をためて置けないので、塵、埃を落とす欠点がある。
該公知の拭き掃除用シートは使用上多くの欠点があり、また製造過程も複雑で、時間もかかる。
【０００３】
【考案が解決しようとする課題】
上記公知の構造の欠点を解決するため、本考案は立体的な拭き掃除用シートの改良構造を提供することを課題とする。
【０００４】
【課題を解決するための手段】
上記課題を解決するため、本考案は立体的な拭き掃除用シートの改良構造を提供する。
本考案は設置層、中心層、数個のリブ片により構成し、
該中心層の両側に各設置層を設け、該設置層内へ数個の設置空間を設け、主に汚れ、塵、埃を該設置空間内へ推進し、且該設置空間へ異なる方向へ延びるリブ片を設け、該リブ片は高周波粘着により設置層へ設け、該リブ片と設置空間は互いに対応する効果となり、且該設置層の両側に各粘着部を設け、該拭き掃除用シートは桿本体へ粘着する。
また、該設置層は両端に各外へ延びる数個の凸部を設け、該凸部は隙間へ入り込み掃除をし、徹底的な掃除効果を達成する。
すなわち、本考案の拭き掃除用シートの改良構造は、
一種立体型の拭き掃除用シートの構造に係わり、主に設置層、中心層、数個のリブ片により構成し、
該中心層の両側に各設置層を設け、該設置層内に数個の設置空間を設け、汚れ、塵、埃などを該設置空間内へ推進し、且該設置空間に異なる方向へ延びるリブ片を設け、該リブ片は高周波粘着により設置層へ設け、該リブ片と設置空間は互いに対応する効果となり、且該設置層の両側に各粘着部を設け、該拭き掃除用シートは桿本体へ粘着固定し、また該設置層の両側に外へ向かって延びる数個の凸部を設け、該凸部は隙間へ入り込み、徹底的に清掃することを特徴とする。
また、前記リブ片の片端に斜め方向へ延びる引っ掛けリブを設け、該引っ掛けリブとリブ片の間に設置溝を設け、該設置溝は塵、埃をためておくことを特徴とする。
さらに、前記設置空間の別の片端へリブ片を設け、該リブ片は２つずつ相対応し、該リブ片は塵、埃を設置空間内へ推進することを特徴とする。
【０００５】
【考案の実施の形態】
本考案は一種の立体型の拭き掃除用シートの構造の提供に係わり、
図２に示すように、該拭き掃除用シート１を使用するときは、まず該拭き掃除用シート１の粘着部３、４を桿本体２へ粘着し、快速に粘着効果を達成し、
図４に示すように、使用者は該拭き掃除用シート１を使用するとき、該拭き掃除用シート１の両側に異なる方向へ延びるリブ片７、８は塵埃１３を設置空間９へ押し込み、多方面から塵埃をふき取る効果を達成する。
また、図５に示すように、使用者が使用方向を変えるとき、該リブ片７、８は設置空間９を覆い、塵埃１３を落とすことを防止する効果を達成し、よって拭き掃除用シートに塵埃を固定しておけない公知の拭き掃除用シートの欠点を解決する。
また別に図６に示すように、本考案は該リブ片７の片端に斜め方向へ延びる引っ掛けリブ１４を設け、該引っ掛けリブ１４とリブ片７の間に設置溝１５を設け、該設置溝１５は塵埃１３を入れ、塵埃１３を落とすことを防止する効果を達成する。
また、本案は更に図７に示すように、該設置空間９の別端へリブ片１６を設け、該リブ片７、１６に対応し、該リブ片７、１６は塵埃１３を設置空間９へ推進し、よって多方面の塵埃を掃除する効果を達成する。
本案と公知の欠点を比較してみると、
公知の欠点は、
１、該シート周辺に縫い目があり、それによりシートがはなれるのを避ける。
２、製造過程中、手順は困難であり、時間もかかる。
３、塵埃をシートに固着させておけない。
本考案の改良点は、
１、桿本体へ快速に組み立てられ、便利性を具える。
２、製造方法も簡単であり、生産コストも低い。
３、清掃手順も簡単で仕事の能率も上がり、実用性を具える。
４、塵埃を徹底的に掃除する進歩性も具える。
【０００６】
【考案の効果】
本考案は、一種の立体型の拭き掃除用シートの構造に係わり、主な構造は該中心層の両側に各設置層を設け、該設置層内に数個の設置空間を設け、汚れ、塵、埃などを該設置空間内へ推進し、且該設置空間に異なる方向へ延びるリブ片を設け、該リブ片は高周波粘着により設置層へ設け、該リブ片と設置空間は互いに対応する効果となり、且該設置層の両側に各粘着部を設け、該拭き掃除用シートは桿本体へ粘着固定し、また該設置層の両側に外へ向かって延びる数個の凸部を設け、該凸部は隙間に入り込み、徹底的に清掃する効果となり、実用性、進歩性、便利性を具える。
【図面の簡単な説明】
【図１】本考案の立体組合せ図である。
【図２】本考案の桿体の立体指示図である。
【図３】本考案の断面指示図である。
【図４】本考案の第一の平面動作指示図である。
【図５】本考案の第二の平面動作指示図である。
【図６】別の本考案の断面指示図である。
【図７】別の本考案の断面指示図である。
【符号の説明】
１　　　拭き掃除用シート
２　　　桿体
３　　　粘着部
４　　　粘着部
５　　　凸部
６　　　凸部
７　　　リブ片
８　　　リブ片
１６　　リブ片
９　　　設置空間
１０　　高周波粘着
１１　　設置層
１２　　中心層
１３　　塵埃
１４　　引っ掛けリブ
１５　　設置溝
【図１】
0003096928.tif 000003
【図２】
0003096928.tif 000004
【図３】
0003096928.tif 000005
【図４】
0003096928.tif 000006
【図５】
0003096928.tif 000007
【図６】
0003096928.tif 000008
【図７】
0003096928.tif 000009